(57)【要約】【課題】回路基板が筺体の底面に対して垂直となる姿勢で固定される電子機器において、回路基板の取外しを容易に行えるようにする。【解決手段】電子機器１は、回路基板２と、回路基板２を収納する筺体３と、回路基板２を固定する基板固定部４、５とを備える。一方の基板固定部４は、回路基板２の係合凹部２１が係合される係合部４１を備え、他方の基板固定部５は、回路基板２の係止凹部２２を係止する係止部５１を備える。回路基板２の係合凹部２１を係合部４１に係合させ、回路基板２を係合部４１を支点として回動させて、回路基板２の係止凹部２２を係止部５１により係止することにより、回路基板２が固定される。また、係止部５１による回路基板２の係止を解除して、回路基板２を係合部４１を支点として固定時と逆方向に回動させることにより、回路基板２が取外される。【選択図】図１
2009043922.tif 000002
【特許請求の範囲】
【請求項１】
電子部品が実装される回路基板と、前記回路基板を収納する筺体とを備え、前記回路基板が前記筺体の底面に対して垂直となる所定の固定姿勢で固定される電子機器において、
前記回路基板は、該回路基板の端縁から凹に形成された係合凹部を有し、
前記回路基板を回動させて前記所定の固定姿勢にすることができるように、前記回路基板の係合凹部が係合される係合部と、
前記係合凹部が前記係合部に係合された状態で前記回路基板が前記所定の固定姿勢にあるときに、前記回路基板の下端縁に位置して、前記回路基板を前記筺体の底面に対して垂直な方向に支える基台部と、
前記係合凹部が前記係合部に係合された状態で前記回路基板が前記所定の固定姿勢にあるときに、前記回路基板の表面及び裏面に位置して、前記回路基板の該回路基板の表面側への変位、及び裏面側への変位を規制する規制部と、
前記係合凹部が前記係合部に係合され、前記回路基板が前記係合部を支点として回動されて前記所定の固定姿勢とされたときに、前記回路基板の前記係合部と反対側への変位、及び前記基台部と反対側への変位を規制するように、前記回路基板を係止する係止部と、
を備えることを特徴とする電子機器。
【請求項２】
前記係合凹部は、前記回路基板の上端縁及び側端縁から凹に形成されており、
前記回路基板の前記係合凹部より下側にある部分は、前記係合凹部が前記係合部に係合された状態で前記回路基板が前記所定の固定姿勢にあるときに、前記係合部の下側に位置し、
前記係合部は、前記係合凹部が前記係合部に係合された状態で前記回路基板が前記所定の固定姿勢にあるときに、前記回路基板の前記係合凹部より下側にある部分の上端縁に位置して、前記回路基板の前記基台部と反対側への変位を規制する、
ことを特徴とする請求項１に記載の電子機器。
【請求項３】
前記回路基板は、前記係止部により係止される係止凹部を有し、
前記係止凹部は、前記回路基板の前記係合凹部と反対側の側端部において、前記回路基板の上端縁及び側端縁から凹に形成されており、
前記係止部は、前記係止凹部において、前記回路基板の上端縁及び側端縁を係止する、
ことを特徴とする請求項２に記載の電子機器。
【請求項４】
前記規制部は、
前記回路基板の前記係合凹部側の側端部の表面に位置する係合側表規制部と、前記係合凹部側の側端部の裏面に位置する係合側裏規制部と、前記係止凹部側の側端部の表面に位置する係止側表規制部と、前記係止凹部側の側端部の裏面に位置する係止側裏規制部とを有している、
ことを特徴とする請求項３に記載の電子機器。
【請求項５】
前記係合部、前記係合側表規制部、及び係合側裏規制部が一体的に形成されており、
前記係止部、前記係止側表規制部、及び係止側裏規制部が一体的に形成されている、
ことを特徴とする請求項４に記載の電子機器。
【発明の詳細な説明】
【技術分野】
【０００１】
本発明は、筺体内に回路基板を備える電子機器に関するものである。
【背景技術】
【０００２】
従来から、例えばプリンタやプロジェクタ等の電子機器は、筺体内に回路基板を備えている。このような電子機器としては、回路基板を、図８に示すように固定するものが知られている。すなわち、電子機器８０は、筺体８１内において、回路基板８２を筺体８１の底面に対して平行となる姿勢で固定するようになっている。回路基板８２の固定は、回路基板８２に形成された位置決め孔８３を筺体８１の底板８４に形成された位置決めボス８５に嵌め込むことによって、回路基板８２を位置決めし、そして、ビス８６により回路基板８２をビス止めすることによって、行われるようになっている。
【０００３】
しかしながら、このような電子機器８０では、回路基板８２が筺体８１の底面に対して平行となる姿勢で固定されるため、回路基板８２の面積に応じて、筺体８１の底板８４の面積を大きくする必要があり、その結果、電子機器８０の小型化の妨げになってしまう。
【０００４】
そこで、回路基板を筺体の底面に対して垂直となる姿勢で固定するようにしたものが知られている（例えば特許文献１乃至特許文献４参照）。特許文献１に記載の構成では、回路基板の両側の側端縁をガイド部によりスライド自在にガイドすると共に、回路基板の中央部を係止部により係止することによって、回路基板を固定するようになっている。また、特許文献２に記載の構成では、回路基板の両側の側端部をそれぞれ係止部により係止することによって、回路基板を固定するようになっている。また、特許文献３及び特許文献４に記載の構成では、回路基板の一方の側の側端部を係止部により係止するようになっている。
【特許文献１】特開平１１−１２６９８６号公報
【特許文献２】特開平８−２５５９８６号公報
【特許文献３】特開２００２−２８０７６７号公報
【特許文献４】特開平８−１２５３５８号公報
【発明の開示】
【発明が解決しようとする課題】
【０００５】
ところが、上述した特許文献１に記載の構成においては、回路基板の両側の側端縁をガイド部によりスライド自在にガイドしているため、回路基板をガイド部に沿ってスライドさせるとき、回路基板にバランス良く力を加えなければ、回路基板の側端縁がガイド部に摩擦により引っ掛かってしまい、回路基板をガイド部に沿って上手くスライドさせることができない。回路基板にバランス良く力を加えるためには、両手を使う必要がある。また、固定されている回路基板を取外すには、係止部による回路基板の係止を解除しつつ、回路基板をガイド部に沿ってスライドさせて引き上げなければならない。係止部による回路基板の係止を解除するためには、少なくとも片方の手を使う必要がある。すなわち、固定されている回路基板を取外すには、少なくとも片方の手を使って係止部による係止を解除しつつ、さらに、両方の手を使って回路基板をバランス良くスライドさせなければならない。従って、上述した特許文献１に記載の構成においては、回路基板を取外すときの作業性が悪い。
【０００６】
また、上述した特許文献２に記載の構成においては、回路基板の両側の側端部をそれぞれ係止部により係止しているため、固定されている回路基板を取外すには、これら複数の係止部による回路基板の係止を同時に解除しなければならない。１つの係止部による係止の解除であっても片方の手で行うのは容易ではなく、複数の係止部による係止の解除を同時に行うのは困難である。従って、特許文献２に記載の構成においても、回路基板を取外すときの作業性が悪い。
【０００７】
なお、上述した特許文献３及び特許文献４には、回路基板の一方の側の側端部を係止部により係止する構成については、記載されているものの、回路基板の他方の側の側端部を固定する構成については、記載されていない。従って、これら特許文献３及び特許文献４に記載の構成を適用したとしても、上記の問題を解決することはできない。
【０００８】
本発明は、上記課題を解決するためになされたものであり、回路基板が筺体の底面に対して垂直となる姿勢で固定される電子機器において、固定されている回路基板の取外しを容易に行うことができる電子機器を提供することを目的とする。
【課題を解決するための手段】
【０００９】
上記目的を達成するために請求項１の発明は、電子部品が実装される回路基板と、回路基板を収納する筺体とを備え、回路基板が筺体の底面に対して垂直となる所定の固定姿勢で固定される電子機器において、回路基板は、該回路基板の端縁から凹に形成された係合凹部を有し、回路基板を回動させて所定の固定姿勢にすることができるように、回路基板の係合凹部が係合される係合部と、係合凹部が係合部に係合された状態で回路基板が所定の固定姿勢にあるときに、回路基板の下端縁に位置して、回路基板を筺体の底面に対して垂直な方向に支える基台部と、係合凹部が係合部に係合された状態で回路基板が所定の固定姿勢にあるときに、回路基板の表面及び裏面に位置して、回路基板の該回路基板の表面側への変位、及び裏面側への変位を規制する規制部と、係合凹部が係合部に係合され、回路基板が係合部を支点として回動されて所定の固定姿勢とされたときに、回路基板の係合部と反対側への変位、及び基台部と反対側への変位を規制するように、回路基板を係止する係止部と、を備えるものである。
【００１０】
請求項２の発明は、請求項１に記載の電子機器において、係合凹部は、回路基板の上端縁及び側端縁から凹に形成されており、回路基板の係合凹部より下側にある部分は、係合凹部が係合部に係合された状態で回路基板が所定の固定姿勢にあるときに、係合部の下側に位置し、係合部は、係合凹部が係合部に係合された状態で回路基板が所定の固定姿勢にあるときに、回路基板の係合凹部より下側にある部分の上端縁に位置して、回路基板の基台部と反対側への変位を規制するものである。
【００１１】
請求項３の発明は、請求項２に記載の電子機器において、回路基板は、係止部により係止される係止凹部を有し、係止凹部は、回路基板の係合凹部と反対側の側端部において、回路基板の上端縁及び側端縁から凹に形成されており、係止部は、係止凹部において、回路基板の上端縁及び側端縁を係止するものである。
【００１２】
請求項４の発明は、請求項３に記載の電子機器において、規制部は、回路基板の係合凹部側の側端部の表面に位置する係合側表規制部と、係合凹部側の側端部の裏面に位置する係合側裏規制部と、係止凹部側の側端部の表面に位置する係止側表規制部と、係止凹部側の側端部の裏面に位置する係止側裏規制部とを有しているものである。
【００１３】
請求項５の発明は、請求項４に記載の電子機器において、係合部、係合側表規制部、及び係合側裏規制部が一体的に形成されており、係止部、係止側表規制部、及び係止側裏規制部が一体的に形成されているものである。
【発明の効果】
【００１４】
請求項１の発明によれば、回路基板の係合凹部を係合部に係合させ、回路基板を係合部を支点として回動させて筺体の底面に対して垂直となる所定の固定姿勢にすると、係止部によって回路基板が係止される。このとき（すなわち、回路基板の係合凹部が係合部に係合された状態で回路基板が所定の固定姿勢にあるとき）、回路基板は、基台部と係止部とによって筺体の底面に対して垂直な方向に固定され、規制部によって回路基板に垂直な方向に固定され、係合部と係止部とによって筺体の底面に対して垂直な方向と回路基板に垂直な方向の両方向に垂直な方向に固定される。すなわち、回路基板は、係合凹部を係合部に係合させ、係合部を支点として回動させて、係止部により係止するだけで、筺体の底面に対して垂直となる姿勢で固定することができる。また、固定されている回路基板は、係止部による係止を解除して、係合部を支点として固定時と逆方向に回動させるだけで、取外すことができる。
【００１５】
しかも、回路基板は、係止部による係止を解除して、係合部を支点として回動させることにより、取外されるため、従来の回路基板の両側の側端縁をガイド部によりスライド自在にガイドしている構成のように、回路基板の側端縁がガイド部に引っ掛かることがなく、また、従来の回路基板の両側の側端部をそれぞれ係止部により係止する構成のように、複数の係止部による係止を同時に解除する必要もない。従って、回路基板の取外しを容易に行うことができ、回路基板を取外すときの作業性が向上する。
【００１６】
請求項２の発明によれば、回路基板は、基台部と係止部によって筺体の底面に対して垂直な方向に固定されることに加え、係合部と基台部によっても筺体の底面に対して垂直な方向に固定される。従って、回路基板をより安定した状態に固定することができる。
【００１７】
請求項３の発明によれば、回路基板の側端部に係止部が位置するため、回路基板の中央部を電子部品の実装のために有効に利用することができる。
【００１８】
請求項４の発明によれば、回路基板の側端部に規制部が位置するため、回路基板の中央部を電子部品の実装のために有効に利用することができる。
【００１９】
請求項５の発明によれば、回路基板の取外しを容易に行うことができる構成を、簡素で安価に実現することができる。
【発明を実施するための最良の形態】
【００２０】
以下、本発明を具体化した実施形態による電子機器について図面を参照して説明する。図１（ａ）（ｂ）は、本実施形態による例えばプリンタやプロジェクタ等の電子機器の概略構成を示す。
【００２１】
電子機器１は、回路基板２と、回路基板２を収納する筺体３と、回路基板２を筺体３内において固定するための基板固定部４、５と、回路基板２を補助的に固定するための補助固定部６、７、８等を備える。筺体３の底板３１は、回路基板２を固定するための基台部として利用される。回路基板２は、筺体３の底板（基台部）３１、基板固定部４、５、及び補助固定部６、７、８によって、筺体３の底面に対して垂直となる所定の固定姿勢で固定される。
【００２２】
回路基板２は、係合凹部２１と、係止凹部２２とを有している。係合凹部２１は、回路基板２の一方の側の側端部において、回路基板２の上端縁及び側端縁から凹に形成されている。係止凹部２２は、回路基板２の他方の側（係合凹部２１と反対側）の側端部において、回路基板２の上端縁及び側端縁から凹に形成されている。回路基板２には、各種電子部品（不図示）が実装されている。
【００２３】
筺体３の底板３１は、樹脂により形成されており、底板３１の表面は平面形状である。筺体３の底板３１は、回路基板２の下端縁に位置して、回路基板２を底板３１の表面（筺体３の底面）に対して垂直な方向に支える。また、筺体３の底板３１には、溝３１ａが形成されている。この溝３１ａは、回路基板２を固定するときに利用するものである。
【００２４】
一方の基板固定部４は、回路基板２の一方の側（係合凹部２１側）の側端部を固定するものであり、係合部４１と、係合側表規制部４２と、係合側裏規制部４３とを備える。係合部４１は、回路基板２の係合凹部２１が係合されて、回路基板２の一方の側端側（係合凹部２１側）への変位、及び回路基板２の上端側への変位を規制するものである。係合側表規制部４２は、回路基板２の一方の側の側端部の表面に位置して、回路基板２の表面側への変位を規制するものであり、係合側裏規制部４３は、回路基板２の一方の側の側端部の裏面に位置して、回路基板２の裏面側への変位を規制するものである。基板固定部４（すなわち係合部４１、係合側表規制部４２、及び係合側裏規制部４３）は、樹脂により一体的に形成されている。また、基板固定部４は、筺体３の底板３１とも一体的に形成されている。
【００２５】
他方の基板固定部５は、回路基板２の他方の側（係止凹部２２側）の側端部を固定するものであり、係止部５１と、係止側表規制部５２と、係止側裏規制部５３と、弾性変形部５４とを備える。係止部５１は、回路基板２の係止凹部２２を係止して、回路基板２の他方の側端側（係止凹部２２側）への変位、及び回路基板２の上端側への変位を規制するものである。係止側表規制部５２は、回路基板２の他方の側の側端部の表面に位置して、回路基板２の表面側への変位を規制するものであり、係止側裏規制部５３は、回路基板２の他方の側の側端部の裏面に位置して、回路基板２の裏面側への変位を規制するものである。弾性変形部５４は、弾性変形することにより、係止部５１を弾性的に変位させるものである。基板固定部５（すなわち係止部５１、係止側表規制部５２、係止側裏規制部５３、及び弾性変形部５４）は、樹脂により一体的に形成されている。また、基板固定部５は、筺体３の底板３１とも一体的に形成されている。
【００２６】
補助固定部６、７、８は、回路基板２の下端部を固定するものであり、筺体３の底板３１の表面に突設されている。補助固定部７は、回路基板２の下端部の表面に位置して、回路基板２の表面側への変位を規制するものであり、補助固定部６、８は、回路基板２の下端部の裏面に位置して、回路基板２の裏面側への変位を規制するものである。補助固定部６、７、８は、樹脂により、筺体３の底板３１と一体的に形成されている。
【００２７】
図２（ａ）（ｂ）は、基板固定部４の構成を示す。基板固定部４は、上述のように、係合部４１と、係合側表規制部４２と、係合側裏規制部４３とを備える。係合側表規制部４２及び係合側裏規制部４３は、各々、筺体３の底板３１の表面に突設されており、底板３１の表面に対して垂直に延びている。係合側表規制部４２と係合側裏規制部４３の互いに対向する面は、それぞれ平面形状をしており、互いに平行になっている。係合側表規制部４２と係合側裏規制部４３との間隔は、回路基板２の厚みよりも僅かに広くなっている。
【００２８】
係合部４１は、係合側表規制部４２と係合側裏規制部４３との間において、筺体３の底板３１と間隔を空けて設けられている。係合部４１と筺体３の底板３１との間隔は、回路基板２の下端縁から係合凹部２１における上端縁２ａまでの長さＬ１（図１（ａ）参照）よりも僅かに広くなっている。また、係合部４１は、係合側表規制部４２及び係合側裏規制部４３の基板固定部５側の端縁よりも奥まった位置に設けられている。すなわち、係合側表規制部４２及び係合側裏規制部４３は、係合部４１よりも、基板固定部５側に延出されている。
【００２９】
また、上述のように、筺体３の底板３１には、溝３１ａが形成されている。溝３１ａは、係合部４１の下方（係合側表規制部４２と係合側裏規制部４３との間）を通る細長い形状をしている。溝３１ａの長さ方向は、係合側表規制部４２と係合側裏規制部４３の互いに対向する面と平行になっている。溝３１の幅は、係合側表規制部４２と係合側裏規制部４３との間隔と同じに（すなわち回路基板２の厚みよりも僅かに広く）なっている。
【００３０】
図３は、基板固定部５の構成を示す。基板固定部５は、上述のように、係止部５１と、係止側表規制部５２と、係止側裏規制部５３とを備える。係止側表規制部５２及び係止側裏規制部５３は、各々、筺体３の底板３１の表面に突設されており、底板３１の表面に対して垂直に延びている。係止側表規制部５２と係止側裏規制部５３の互いに対向する面は、それぞれ平面形状をしており、互いに平行になっている。係止側表規制部５２と係止側裏規制部５３との間隔は、回路基板２の厚みよりも僅かに広くなっている。また、係止側表規制部５２と係止側裏規制部５３の互いに対向する２つの面は、それぞれ係合側表規制部４２と係合側裏規制部４３の互いに対向する２つの面の延長面上にあって、係合側表規制部４２と係合側裏規制部４３の互いに対向する２つの面と平行になっている。
【００３１】
係止部５１は、弾性変形部５４を介して、係止側裏規制部５３の上部に設けられており、係止側表規制部５２と係止側裏規制部５３の間の上方位置に突出している。弾性変形部５４は、係止側表規制部５２と係止側裏規制部５３の互いに対向する面と垂直な方向に弾性変形可能に形成されている。従って、係止部５１は、弾性変形部５４が弾性変形することにより、係止側表規制部５２と係止側裏規制部５３の互いに対向する面と垂直な方向に弾性的に変位する。係止部５１と筺体３の底板３１との間隔は、回路基板２の下端縁から係止凹部２２における上端縁２ｂまでの長さＬ２（図１（ａ）参照）よりも僅かに広くなっている。また、係止部５１と係合部４１との筐体３の底面に平行な方向における間隔は、回路基板２の係止凹部２２における側端縁から係合凹部２１における側端縁までの長さＬ３（図１（ａ）参照）よりも僅かに広くなっている。
【００３２】
図４（ａ）（ｂ）、図５（ａ）（ｂ）、図６（ａ）（ｂ）、図７（ａ）（ｂ）は、回路基板２の固定方法を示す。回路基板２の固定は、以下のようにして行われる。まず、図４（ａ）（ｂ）に示すように、回路基板２が筺体３の底面に対して垂直となる状態で、回路基板２の係合凹部２１を基板固定部４側にして、回路基板２の係合凹部２１側の下端の角を筺体３の底板３１の溝３１ａに挿入する。
【００３３】
続いて、回路基板２が筺体３の底面に対して垂直となる状態を保ちつつ、回路基板２を筺体３の底板３１に沿って基板固定部４側に移動させる。このとき、溝３１ａは、回路基板２の係合凹部２１側の下端の角が溝３１ａ内を移動することにより、回路基板２の移動を案内する機能を果たす。
【００３４】
回路基板２をさらに移動させると、図５（ａ）（ｂ）に示すように、回路基板２の係合凹部２１側の側端部（係合凹部２１の下側にある部分、及び横側にある部分）が基板固定部４の係合側表規制部４２と係合側裏規制部４３との間に挿入されると共に、回路基板２の係合凹部２１が基板固定部４の係合部４１に係合される。これにより、係合部４１を支点として、回路基板２を回動させることができるようになる。
【００３５】
そして、係合凹部２１が係合部４１に係合された状態で、回路基板２が筺体３の底面に対して垂直となる状態を保ちつつ、回路基板２の係止凹部２２側を下げるように、回路基板２を係合部４１を支点として回動させる。このとき、溝３１ａは、回路基板２の係合凹部２１側の下端の角が溝３１ａ内を移動することにより、回路基板２の係合凹部２１側の下端の角と筺体３の底板３１との干渉を防ぐ機能を果たす。また、係合側表規制部４２及び係合側裏規制部４３は、回路基板２の係合凹部２１側の側端部の一部が係合側表規制部４２と係合側裏規制部４３の間に挿入された状態で回動することにより、回路基板２を筺体３の底面に対して垂直となる状態に保つ機能を果たす。
【００３６】
回路基板２をさらに回動させると、図６（ａ）に示すように、回路基板２の係止凹部２２側の側端部（係止凹部２２の下側にある部分）が基板固定部５の係止部５１に差し掛かる。回路基板２の係止凹部２２側の側端部が係止部５１に差し掛かることにより、係止部５１は、回路基板２の係止凹部２２側の側端部に押されて、回路基板２の裏面側に、弾性的に変位する。また、図６（ｂ）に示すように、回路基板２の係合凹部２１の下側にある部分が係合部４１と筺体３の底板３１との間に挿入されてゆく。
【００３７】
そして、回路基板２をさらに回動させると、図７（ａ）に示すように、回路基板２の係止凹部２２側の側端部が基板固定部５の係止側表規制部５２と係止側裏規制部５３との間に挿入され、また、回路基板２の係止凹部２２側の側端部が係止部５１を乗り越えると共に、回路基板２の下端縁が筺体３の底板３１に当接する（すなわち回路基板２が所定の固定姿勢になる）。回路基板２の係止凹部２２側の側端部が係止部５１を乗り越えることにより、係止部５１は元の位置に戻り、回路基板２の係止凹部２２が係止部５１により係止される。このとき、係止部５１は、回路基板２の係止凹部２２において、回路基板２の上端縁２ｂ及び側端縁を係止する。また、図７（ｂ）に示すように、回路基板２の係合凹部２１側の側端部（係合凹部２１の下側にある部分、及び横側にある部分）が係合側表規制部４２と係合側裏規制部４３との間に位置すると共に、回路基板２の係合凹部２１より下側にある部分が係合部４１の下側に位置する。このとき、係合部４１は、回路基板２の係合凹部２１より下側にある部分の上端縁２ａに位置すると共に、回路基板２の係合凹部２１の横側にある部分の側端縁に位置する。すなわち、係合部４１は、回路基板２の係合凹部２１において、回路基板２の上端縁２ａ及び側端縁に位置する。これにより、回路基板２が固定される。
【００３８】
このように回路基板２が固定されているとき（すなわち、回路基板２の係合凹部２１が係合部４１に係合された状態で回路基板２が所定の固定姿勢にあるとき）、筺体３の底板３１は、回路基板２の下端縁に位置して、回路基板２を筺体３の底面３１に対して垂直な方向に支えている。そして、係合部４１は、回路基板２の係合凹部２１において、回路基板２の上端縁２ａ及び側端縁に位置して、回路基板２の上端側への変位、及び回路基板２の係合凹部２１側への変位を規制しており、係止部５１は、回路基板２の係止凹部２２において、回路基板２の上端縁２ｂ及び側端縁を係止して、回路基板２の上端側への変位、及び回路基板２の係止凹部２２側への変位を規制している。また、係合側表規制部４２及び係合側裏規制部４３は、回路基板２の係合凹部２１側の側端部の表面及び裏面に位置して、回路基板２の表面側への変位及び裏面側への変位を規制しており、係止側表規制部５２及び係止側裏規制部５３は、回路基板２の係止凹部２２側の側端部の表面及び裏面に位置して、回路基板２の表面側への変位及び裏面側への変位を規制している。
【００３９】
すなわち、回路基板２は、筺体３の底板３１と係合部４１によって、及び筺体３の底板３１と係止部５１とによって、筺体３の底面に対して垂直な方向に固定される。また、回路基板２は、係合側表規制部４２と係合側裏規制部４３とによって、及び係止側表規制部５２と係止側裏規制部５３によって、回路基板２に垂直な方向に固定される。さらに、回路基板２は、係合部４１と係止部５１とによって、筺体３の底面に対して垂直な方向と回路基板２に垂直な方向の両方向に垂直な方向に固定される。
【００４０】
また、固定されている回路基板２の取外しは、以下のようにして行われる。まず、係止部５１を回路基板２の裏面側に変位させて、係止部５１による回路基板２の係止を解除すると共に、回路基板２の係止凹部２２側を上げるように、回路基板２を係合部４１を支点として回動（固定時と逆方向に回動）させる。続いて、回路基板２を基板固定部５側に移動させて、係合部４１による回路基板２の係合を解除し、そして、回路基板２を引き上げる。これにより、回路基板２が取外される。
【００４１】
このような構成の電子機器１によれば、回路基板２は、回路基板２の係合凹部２１を係合部４１に係合させ、係合部４１を支点として回動させて、係止部５１により係止するだけで、筺体３の底面に対して垂直となる姿勢で固定することができる。また、固定されている回路基板２は、係止部５１による係止を解除して、係合部４１を支点として固定時と逆方向に回動させるだけで、取外すことができる。
【００４２】
しかも、回路基板２は、係止部５１による係止を解除して、係合部４１を支点として回動させることにより、取外されるため、従来の回路基板の両側の側端縁をガイド部によりスライド自在にガイドしている構成のように、回路基板の側端縁がガイド部に引っ掛かることがなく、また、従来の回路基板の両側の側端部をそれぞれ係止部により係止する構成のように、複数の係止部による係止を同時に解除する必要もない。従って、回路基板２の取外しを容易に行うことができ、回路基板２を取外すときの作業性が向上する。
【００４３】
また、係止部５１が回路基板２の側端部に位置するため、回路基板２の中央部を電子部品の実装のために有効に利用することができる。また、係合側表規制部４２、係合側裏規制部４３、係止側表規制部５２、及び係止側裏規制部５３が回路基板２の側端部に位置するため、回路基板２の中央部を電子部品の実装のために有効に利用することができる。
【００４４】
さらに、係合部４１、係合側表規制部４２、及び係合側裏規制部４３が一体的に形成され、係止部５１、係止側表規制部５２、及び係止側裏規制部５３が一体的に形成されているため、回路基板２の取外しを容易に行うことができる構成を、簡素で安価に実現することができる。
【００４５】
なお、本発明は、上記実施形態の構成に限られず、種々の変形が可能である。例えば、回路基板の係合凹部は、回路基板の上端縁及び側端縁から凹に形成されているものに限られず、回路基板の側端縁から凹に形成されているものであってもよい。また、回路基板の係合凹部は、回路基板の下端縁及び側端縁から凹に形成されているものであってもよい。この場合、回路基板が係止部により係止されたとき（回路基板が所定の固定姿勢となったとき）に、回路基板の係合凹部側の上端縁に位置して、回路基板の上端側への変位を規制するものを別途設けておけばよい。回路基板の係止凹部は、回路基板の上端縁及び側端縁から凹に形成されているものに限られず、回路基板の側端縁から凹に形成されているものや、回路基板の上端縁から凹に形成されているものであってもよい。また、回路基板の係止凹部に代えて、回路基板に開口を形成し、その開口部分を係止部により係止するようにしてもよい。係合部、係合側表規制部、及び係合側裏規制部は、一体的に形成されていなくてもよく、係止部、係止側表規制部、及び係止側裏規制部も、一体的に形成されていなくてもよい。本発明は、プリンタやプロジェクタに限られず、筺体内に回路基板を備える電子機器であれば、どのような電子機器にも適用可能である。
【図面の簡単な説明】
【００４６】
【図１】（ａ）は本発明の一実施形態に係る電子機器の構成を示す回路基板を取外した状態の斜視図、（ｂ）は同電子機器の回路基板を固定した状態の斜視図。
【図２】（ａ）は同電子機器の一方の基板固定部の構成を示す斜視図、（ｂ）は同基板固定部の一部破断した斜視図。
【図３】同電子機器の他方の基板固定部の構成を示す斜視図。
【図４】（ａ）は同電子機器の回路基板の固定方法を示す回路基板を筺体の溝に挿入したときの斜視図、（ｂ）はそのときの基板固定部近傍の断面図。
【図５】（ａ）は同電子機器の回路基板の固定方法を示す回路基板の係合凹部が係合部に係合されたときの斜視図、（ｂ）はそのときの基板固定部近傍の断面図。
【図６】（ａ）は同電子機器の回路基板の固定方法を示す回路基板が係止部に差し掛かったときの斜視図、（ｂ）はそのときの基板固定部近傍の断面図。
【図７】（ａ）は同電子機器の回路基板の固定方法を示す回路基板の係止凹部が係止部により係止されたときの斜視図、（ｂ）はそのときの基板固定部近傍の断面図。
【図８】従来の電子機器の構成を示す回路基板を固定した状態の斜視図。
【符号の説明】
【００４７】
１    電子機器
２    回路基板
３    筺体
４、５    基板固定部
６、７、８    補助固定部
２１    係合凹部
２２    係止凹部
３１    筺体の底板（基台部）
３１ａ    溝
４１    係合部
４２    係合側表規制部
４３    係合側裏規制部
５１    係止部
５２    係止側表規制部
５３    係止側裏規制部
５４    弾性変形部
【図１】
2009043922.tif 000003
【図２】
2009043922.tif 000004
【図３】
2009043922.tif 000005
【図４】
2009043922.tif 000006
【図５】
2009043922.tif 000007
【図６】
2009043922.tif 000008
【図７】
2009043922.tif 000009
【図８】
2009043922.tif 000010